(57)【要約】【課題】本発明は、電圧調整装置に求められる電圧調整機能を最大限に維持しつつ、温度上昇を確実に抑制することができる切換制御装置および切換制御方法を提供する。【解決手段】電圧調整装置１００においてタップの切換を制御する切換制御装置１０は、制御信号生成部１１と、電圧調整装置１００内に設けられ回路温度を計測する回路温度計測手段により計測された回路温度を取得する温度入力部１２と、温度入力部１２により取得された回路温度に応じてタップの切換えの間隔である切換間隔を可変的に制限する切換間隔調整部１３とを備える。具体的に、切換間隔調整部１３は、切換間隔を段階的に制限すると共に、該回路温度に応じて該タップの切換えの間隔を制限する制限時間を設定し設定された該制限時間につき前記切換間隔を制限する。【選択図】図２
2017143636.tif 000002
【特許請求の範囲】
【請求項１】
配電系統に設置されタップの切換を行うことにより電圧の調整を行う電圧調整装置において前記タップの切換を制御する切換制御装置であって、
前記タップの切換えを行う制御信号を生成する制御信号生成部と、
当該電圧調整装置内に設けられ回路温度を計測する回路温度計測手段により計測された回路温度を取得する温度入力部と、
前記温度入力部により取得された前記回路温度に応じて前記タップの切換えの間隔である切換間隔を可変的に制限する切換間隔調整部と
を備えることを特徴とする電圧調整装置。
【請求項２】
請求項１記載の切換制御装置において、
前記切換間隔調整部は、前記回路温度計測手段により計測された回路温度に応じて前記タップの切換えの間隔である切換間隔を段階的に制限すると共に、該回路温度に応じて該タップの切換えの間隔を制限する制限時間を設定し、設定された該制限時間につき前記切換間隔を制限することを特徴とする切換制御装置。
【請求項３】
配電系統に設置されタップの切換を行うことにより電圧の調整を行う電圧調整装置において前記タップの切換を制御する切換制御方法であって、
前記電圧調整装置は、前記タップの切換えを行う制御信号を生成する切換制御装置と、該タップの切換えにより接続可能なバイパス回路と、該バイパス回路に設けられたバイパス抵抗と、バイパス抵抗の温度を計測するバイパス温度計測手段とを備え、
前記切換制御装置は、現タップＯＦＦ後に一時的に前記バイパス回路に電流を流し、その後に次タップＯＮにすることによりタップの切換を行うタップ切換え動作を行うと共に、前記バイパス温度計測手段による前記バイパス抵抗の温度に応じて、該タップ切換え動作の間隔を段階的に制限することを特徴とする切換制御方法。
【発明の詳細な説明】
【技術分野】
【０００１】
本発明は、配電系統に設置されタップの切換を行うことにより電圧の調整を行う電圧調整装置において前記タップの切換を制御する切換制御装置および切換制御方法に関する。
【背景技術】
【０００２】
従来、この種の電圧調整装置としては、下記特許文献１に示すように、タップ切換時の循環電流を抑制する限流抵抗器の温度上昇値が規定値より高くなった場合やタップ切換え回数が直近の一定時間内に規定回数を超えた場合に、タップ切換えを停止する電圧調整装置が知られている。
【先行技術文献】
【特許文献】
【０００３】
【特許文献１】特開２０１５−１１６０５８号公報
【発明の概要】
【発明が解決しようとする課題】
【０００４】
ここで、従来の電圧調整装置では、タップ切換えを停止することで温度上昇を確実に抑制することができるものの、本来、電圧調整装置に求められる電圧調整機能が喪失されてしまうという本質的な問題があった。
【０００５】
そこで、本発明は、電圧調整装置に求められる電圧調整機能を最大限に維持しつつ、温度上昇を確実に抑制することができる切換制御装置および切換制御方法を提供することを目的とする。
【課題を解決するための手段】
【０００６】
上記目的を達成するために、第１発明の切換制御装置は、配電系統に設置されタップの切換を行うことにより電圧の調整を行う電圧調整装置において前記タップの切換を制御する切換制御装置であって、
前記タップの切換えを行う制御信号を生成する制御信号生成部と、
当該電圧調整装置内に設けられ回路温度を計測する回路温度計測手段により計測された回路温度を取得する温度入力部と、
前記温度入力部により取得された前記回路温度に応じて前記タップの切換えの間隔である切換間隔を可変的に制限する切換間隔調整部と
を備えることを特徴とする。
【０００７】
第１発明の切換制御装置によれば、回路温度計測手段により計測された回路温度に応じてタップの切換えの間隔である切換間隔を可変的に制限することで、回路温度によりタップの切換えが突然停止したり、切換間隔が過度に長くなるといった過度の制限を受けることなく、温度上昇を確実に抑制することができる。
【０００８】
ここで、切換えの間隔である切換間隔を可変的に制限する手法には、例えば、後述するように切換間隔を段階的に制限するほか、回路温度と切換間隔を線形または非線形に規定したカーブや関係式に基づいて連続的に切換間隔を制限する場合が含まれる。
【０００９】
このように、第１発明の切換制御装置によれば、電圧調整装置に求められる電圧調整機能を最大限に維持しつつ、温度上昇を確実に抑制することができる。
【００１０】
第２発明の切換制御装置は、第１発明において、
前記切換間隔調整部は、前記回路温度計測手段により計測された回路温度に応じて前記タップの切換えの間隔である切換間隔を段階的に制限すると共に、該回路温度に応じて該タップの切換えの間隔を制限する制限時間を設定し、設定された該制限時間につき前記切換間隔を制限することを特徴とする。
【００１１】
第２発明の切換制御装置によれば、回路温度に応じてタップの切換間隔を段階的に制限すると共に、回路温度に応じてタップの切換間隔を制限する制限時間を設定し、設定された該制限時間につき前記切換間隔を制限することで、切換間隔の制限が長い時間実行されることを防止することができる。
【００１２】
このように、第２発明の切換制御装置によれば、電圧調整装置に求められる電圧調整機能が過度に抑制されることを防止して最大限に維持しつつ、温度上昇を確実に抑制することができる。
【００１３】
第３発明の切換制御方法は、配電系統に設置されタップの切換を行うことにより電圧の調整を行う電圧調整装置において前記タップの切換を制御する切換制御方法であって、
前記電圧調整装置は、前記タップの切換えを行う制御信号を生成する切換制御装置と、該タップの切換えにより接続可能なバイパス回路と、該バイパス回路に設けられたバイパス抵抗と、バイパス抵抗の温度を計測するバイパス温度計測手段とを備え、
前記切換制御装置は、現タップＯＦＦ後に一時的に前記バイパス回路に電流を流し、その後に次タップＯＮにすることによりタップの切換を行うタップ切換え動作を行うと共に、前記バイパス温度計測手段による前記バイパス抵抗の温度に応じて、該タップ切換え動作の間隔を段階的に制限することを特徴とする。
【００１４】
第３発明の切換制御方法によれば、現タップＯＦＦ後に一時的に前記バイパス回路に電流を流し、その後に次タップＯＮにすることによりタップの切換を行うタップ切換え動作においては、タップ切換え動作の間隔を段階的に制限することで、タップ切換えの途中で動作間隔が変更されてバイパス回路に電流が不意に流れ続けるようなことがない。
【００１５】
このように第３発明の切換制御方法によれば、バイパス回路を備える電圧調整装置においても、電圧調整装置に求められる電圧調整機能を最大限に維持しつつ、温度上昇を確実に抑制することができる。
【図面の簡単な説明】
【００１６】
【図１】本実施形態の電圧調整装置の全体構成を示す回路図。
【図２】本実施形態の切換制御装置の構成を示すシステム構成図。
【図３Ａ】図２の切換制御装置の全体的な処理内容を示すフローチャート。
【図３Ｂ】図２の切換制御装置の全体的な処理内容を示すフローチャート。
【図４Ａ】図３の処理内容の変更例を示すフローチャート。
【図４Ｂ】図３の処理内容の変更例を示すフローチャート。
【発明を実施するための形態】
【００１７】
図１に示すように、本実施形態の電圧調整装置１００は、サイリスタ式自動電圧調整装置（ＴＶＲ：Thyristor Voltage Regulator）であって、調整用変圧器１０１のタップ付二次巻線をタップ切換用サイリスタＳ１Ｒ〜Ｓ６ＲのＯＮ／ＯＦＦにより切り換えることにより、配電系統の一次側と二次側との間で電圧の調整を行う。
【００１８】
また、電圧調整装置１００には、タップ切換用サイリスタＳ１Ｒ〜Ｓ６Ｒと並列に、バイパス回路を構成するバイパス抵抗Ｒおよびバイパス用サイリスタＳ７Ｒが設けられる。
【００１９】
これにより、タップ切換時に、バイパス用サイリスタＳ７ＲをＯＦＦからＯＮとすることで、一時的に電流を流し素通し状態とすることができる。
【００２０】
さらに、電圧調整装置１００の一次側には、一次側電圧を計測する一次側電圧計測用変圧器ＶＴ１が設けられ、二次側には、二次側電圧を計測する二次側電圧計測用変圧器ＶＴ２が設けられる。
【００２１】
かかる一次側電圧計測用変圧器ＶＴ１および二次側電圧計測用変圧器ＶＴ２により計測された一次側電圧Ｖ１および二次側電圧Ｖ２に基づいて、制御信号生成部１１（図２参照）を介してタップ切換用サイリスタＳ１Ｒ〜Ｓ６Ｒの制御信号が生成される。
【００２２】
以上が、電圧調整装置１００の基本構成であり、電圧調整装置１００には、このほか、タップ切換用サイリスタＳ１Ｒ〜Ｓ６Ｒと調整用変圧器１０１との間に、遮断機ＭＣＣＢ１が設けられると共に、バイパス抵抗Ｒと並列に遮断スイッチＭＣが設けられている。また、電源線の一次側と二次側との間には、直列に直列変圧器１０２および１０３が設けられ、直列変圧器１０３にさらに直列に電流値を計測する電流センサＣＴが設けられている。
【００２３】
なお、本実施形態の電圧調整装置１００は、（図中下側に）上記構成と同じ予備回路が並列に構成されている。
【００２４】
具体的には、調整用変圧器１０１に対応して、調整用変圧器１０１´が設けられ、タップ切換用サイリスタＳ１Ｒ〜Ｓ６Ｒに対応して、タップ切換用サイリスタＳ１Ｔ〜Ｓ６Ｔが設けられ、バイパス抵抗Ｒおよびバイパス用サイリスタＳ７Ｒに対応して、バイパス抵抗Ｒ´およびバイパス用サイリスタＳ７Ｔが設けられている。
【００２５】
また、遮断機ＭＣＣＢ１に対応して、遮断機ＭＣＣＢ２が設けられ、遮断スイッチＭＣに対応して遮断スイッチＭＣ´が設けられ、直列変圧器１０２に対応して直列変圧器１０２´が設けられている。
【００２６】
図２に示すように、本実施形態の切換制御装置１０は、電圧調整装置１００のタップ切換用サイリスタＳ１Ｒ〜Ｓ６Ｒおよびバイパス用サイリスタＳ７Ｒの制御信号を生成する装置であって、制御信号生成部１１と、温度入力部１２と、切換間隔調整部１３と、時間管理部１４とを備える。
【００２７】
制御信号生成部１１は、一次側電圧計測用変圧器ＶＴ１に接続されて、電圧調整装置１００の一次側電圧が入力されると共に、二次側電圧計測用変圧器ＶＴ２に接続されて、電圧調整装置１００の二次側電圧が入力される。
【００２８】
なお、電圧調整装置１００の一次側電圧および二次側電圧は、Ａ／Ｄ変換器ＡＤ１を介してデジタル信号に変換された上で、制御信号生成部１１に入力される。
【００２９】
制御信号生成部１１は、基本的には、Ａ／Ｄ変換器ＡＤ１を介して入力された一次側電圧および二次側電圧から、（一次側電圧変化および二次側電圧変化から電気所方向を判定した上で、）非電気所方向（需要家側）の電圧変動を抑制するように、タップ切換用サイリスタＳ１Ｒ〜Ｓ６Ｒの制御信号およびバイパス用サイリスタＳ７Ｒの基本制御信号を生成する。
【００３０】
温度入力部１２は、電圧調整装置１００内に設けられ当該回路温度を計測する回路温度計測手段（図示省略）により計測された回路温度を取得する。
【００３１】
回路温度計測手段は、例えば、電圧調整装置１００の発熱部であるバイパス抵抗Ｒに設けられ、バイパス抵抗Ｒの温度を計測するバイパス温度計測手段である。なお、回路温度計測手段は、バイパス温度計測手段以外でも、電圧調整装置１００の代表温度や平均温度のほか電圧調整装置１００の他の発熱部の温度を計測する温度計測手段であってもよい。
【００３２】
なお、温度計測手段により計測された回路温度は、Ａ／Ｄ変換器ＡＤ２を介してデジタル信号に変換された上で、温度入力部１２に入力される。
【００３３】
切換間隔調整部１３は、制御信号生成部１１により生成される基本制御信号に対して、温度入力部１２により取得された回路温度に応じてタップの切換えの間隔である切換間隔を可変的に制限する。
【００３４】
ここで、切換えの間隔である切換間隔を可変的に制限する手法には、例えば、図３〜図４を参照して後述するように切換間隔を段階的に制限するほか、回路温度と切換間隔を線形または非線形に規定したカーブや関係式に基づいて連続的に切換間隔を制限してもよい。
【００３５】
また、切換間隔調整部１３は、温度入力部１２により取得された回路温度に応じて切換間隔を制限し続ける制限時間（後述の第１時間および第２時間）を設定すると共に、設定された該制限時間につき、制御信号生成部１１により生成される基本制御信号に対して切換間隔を制限する。
【００３６】
時間管理部１４は、時間を管理する手段であって、具体的には、後述する温度高復帰タイマやバイパスＯＦＦタイマなどの各種タイマをカウントアップすることにより、所定時間の経過の有無を管理する。
【００３７】
以上が、本実施形態の電圧調整装置１００および切換制御装置１０の構成である。なお、以上の構成において、制御信号生成部１１、温度入力部１２、切換間隔調整部１３および時間管理部１４は、例えば、ＣＰＵ（Central Processing Unit）、ＲＯＭ（Read Only memory）、ＲＡＭ（Random Access Memory）等のハードウェアにより構成され、これら処理部による処理を実行するプログラムをメモリ（不図示）に記憶保持し、そのプログラムを実行することにより、上記制御処理を実行するための演算装置（シーケンサ）として機能する。
【００３８】
次に、図３Ａおよび図３Ｂを参照して、切換制御装置１０による電圧調整装置１００の切換制御方法について説明する。
【００３９】
まず、切換制御装置１０は、後述する重故障フラグ（ＳＴＥＰ３０参照）がセットされているか否か判定する（ＳＴＥＰ１０／図３Ａ）。
【００４０】
そして、かかる重故障フラグがセットされている場合には（ＳＴＥＰ１０でＹＥＳ／図３Ａ）、切換制御装置１０は、手動でリセットがされたか否かを判定する（ＳＴＥＰ２０／図３Ａ）。
【００４１】
そして、切換制御装置１０は、重故障に対して手動でリセットがされている場合には（ＳＴＥＰ２０でＹＥＳ／図３Ａ）、重故障フラグ（ＳＴＥＰ３０参照）をリセットすると共に（ＳＴＥＰ２１／図３Ｂ）、重故障がリセットされていない場合は（ＳＴＥＰ２０でＮＯ／図３Ａ）、手動でリセットがされるまでリターンしてＳＴＥＰ１０以降の同一の処理を繰り返す。
【００４２】
一方、切換制御装置１０は、重故障フラグがセットされていない場合には（ＳＴＥＰ１０でＮＯ／図３Ａ）、温度入力部１２により取得された回路温度（バイパス抵抗温度）が１２０℃以上となっているか否かを判定する（ＳＴＥＰ１１／図３Ａ）。
【００４３】
そして、切換制御装置１０は、回路温度（バイパス抵抗温度）が１２０℃以上である場合には（ＳＴＥＰ１１でＹＥＳ／図３Ａ）、重故障のフラグである重故障をセットする（ＳＴＥＰ３０／図３Ｂ）。
【００４４】
一方、切換制御装置１０は、回路温度（バイパス抵抗温度）が１２０℃以上でない場合には（ＳＴＥＰ１１でＮＯ／図３Ａ）、回路温度（バイパス抵抗温度）が１００℃以上となっているか否かを判定する（ＳＴＥＰ１２／図３Ａ）。
【００４５】
そして、切換制御装置１０は、回路温度（バイパス抵抗温度）が１００℃以上である場合には（ＳＴＥＰ１２でＹＥＳ／図３Ａ）、回路温度が第１閾値を超えていることを示すフラグである温度高１をセットする（ＳＴＥＰ４０／図３Ａ）。続けて、切換制御装置１０は、現タップＯＦＦ後に一時的にバイパス回路に電流を流し、その後に次タップＯＮにすることによりタップの切換を行うタップ切換え動作の間隔である最小バイパスＯＦＦ時間をデフォルト値（例えば５０［ｍｓｅｃ］）から温度高１に対応した第１時間（例えば６０［ｓｅｃ］）に変更する（ＳＴＥＰ９０／図３Ｂ）。
【００４６】
一方、切換制御装置１０は、回路温度（バイパス抵抗温度）が１００℃以上でない場合には（ＳＴＥＰ１２でＮＯ／図３Ａ）、既に温度高１がセットされているか否かを判定する（ＳＴＥＰ１３／図３Ａ）。
【００４７】
そして、切換制御装置１０は、既に温度高１がセットされている場合には（ＳＴＥＰ１３でＹＥＳ／図３Ａ）、高温状態における時間管理を行うタイマである温度高復帰タイマのカウントをカウントアップし（ＳＴＥＰ５０／図３Ａ）、カウントアップした温度高復帰タイマが高温復帰時間（６０［ｓｅｃ］）となっているか否かを判定する（ＳＴＥＰ５１／図３Ａ）。
【００４８】
ここで、切換制御装置１０は、カウントアップした温度高復帰タイマが高温復帰時間（６０［ｓｅｃ］）となっていない場合には（ＳＴＥＰ５１でＮＯ／図３Ａ）、ＳＴＥＰ９０にスキップして最小バイパスＯＦＦ時間を第１時間（６０［ｓｅｃ］）の変更状態で維持する（ＳＴＥＰ９０／図３Ｂ）。
【００４９】
一方、切換制御装置１０は、カウントアップした温度高復帰タイマが高温復帰時間（６０となっている場合には（ＳＴＥＰ５１でＹＥＳ／図３Ａ）、温度高１をリセットすると共に温度高復帰タイマをリセットする（ＳＴＥＰ５２／図３Ｂ）。
【００５０】
次に、切換制御装置１０は、温度高１がセットされていない場合（ＳＴＥＰ１３でＮＯ／図３Ａ）または温度高１がセットされている場合（ＳＴＥＰ１３でＹＥＳ／図３Ａ）でもＳＴＥＰ５２で温度高１がリセットされると共に温度高復帰タイマがリセットされている場合には（ＳＴＥＰ５２／図３Ｂ）、最小バイパスＯＦＦ時間をデフォルト値（例えば５０［ｍｓｅｃ］）に変更する（ＳＴＥＰ７０／図３Ｂ）。
【００５１】
次いで、切換制御装置１０は、最小バイパスＯＦＦ時間がデフォルト値（例えば５０［ｍｓｅｃ］）に変更された場合（ＳＴＥＰ７０／図３Ｂ）または最小バイパスＯＦＦ時間が第１時間（６０［ｓｅｃ］）に変更されている場合（ＳＴＥＰ９０／図３Ｂ）、タップ切換えの時間間隔を時間管理するタイマであるバイパスＯＦＦタイマ（ＳＴＥＰ１００参照）が、これらいずれかの最小バイパスＯＦＦ時間を経過しているか判定する（ＳＴＥＰ９１／図３Ｂ）。
【００５２】
そして、切換制御装置１０は、最小バイパスＯＦＦ時間を経過している場合（ＳＴＥＰ９１でＹＥＳ／図３Ｂ）、制御信号生成部１１によりタップ切換指令となる制御信号が生成されているか否かを判定する（ＳＴＥＰ９２／図３Ｂ）。
【００５３】
ここで、切換制御装置１０は、最小バイパスＯＦＦ時間を経過していない場合（ＳＴＥＰ９１でＮＯ／図３Ｂ）または最小バイパスＯＦＦ時間を経過している場合（ＳＴＥＰ９１でＹＥＳ／図３Ｂ）制御信号生成部１１によりタップ切換指令となる制御信号が生成されていない場合（ＳＴＥＰ９２／図３Ｂ）、いずれの場合にもバイパスＯＦＦタイマをカウントアップして（ＳＴＥＰ１００／図３Ｂ）、ＳＴＥＰ１０にリターンする。
【００５４】
一方、切換制御装置１０は、最小バイパスＯＦＦ時間を経過していて（ＳＴＥＰ９１でＹＥＳ／図３Ｂ）、制御信号生成部１１によりタップ切換指令となる制御信号が生成されている場合（ＳＴＥＰ９２でＹＥＳ／図３Ｂ）、制御信号生成部１１によりタップ切換指令となる制御信号を出力し、タップ切換動作を実行する（ＳＴＥＰ９３／図３）。
【００５５】
この場合、切換制御装置１０は、次いで、バイパスＯＦＦタイマをリセットしてＳＴＥＰ１０にリターンする（ＳＴＥＰ９４／図３Ｂ）。
【００５６】
以上が切換制御装置１０による電圧調整装置１００の切換制御方法であり、かかる切換制御方法によれば、回路温度（バイパス抵抗温度）が１００℃以上となった場合に（ＳＴＥＰ１２／図３Ａ）、温度高１がセットされると共に（ＳＴＥＰ４０／図３Ａ）、最小バイパスＯＦＦ時間が６０［ｓｅｃ］に変更される（ＳＴＥＰ９０／図３Ｂ）。
【００５７】
これにより、回路温度（バイパス抵抗温度）によりタップの切換えの間隔である切換間隔を段階的に制限することで、回路温度が１２０℃以上となりタップの切換えが突然停止したり、切換間隔が過度に長くなるといった過度の制限を受けることなく、温度上昇を確実に抑制することができる。
【００５８】
さらに、温度高復帰タイマ（ＳＴＥＰ５０／図３ＡおよびＳＴＥＰ５２／図３Ｂ参照）と、バイパスＯＦＦタイマ（ＳＴＥＰ９４，ＳＴＥＰ１００／図３Ｂ参照）とを併存させ、温度高１が解除されるまでの時間を高温復帰時間（６０［ｓｅｃ］）に設定することで、温度が１００℃付近で前後した場合に、最少バイパスＯＦＦ時間が、第１時間である６０［ｓｅｃ］とデフォルト値（例えば５０［ｍｓｅｃ］）とに頻繁に変更されることがない。
【００５９】
次に、図４Ａおよび図４Ｂを参照して、切換制御装置１０による電圧調整装置１００の切換制御方法の変更例について説明する。なお、図３Ａおよび図３Ｂと同一内容の処理については、ＳＴＥＰ番号を同一として、その説明を省略する。
【００６０】
図４Ａおよび図４Ｂに示す変更例では、回路温度（バイパス抵抗温度）が１００℃以上と、８０℃以上で段階的に切換間隔を制限している。
【００６１】
具体的には、切換制御装置１０は、ＳＴＥＰ１２で回路温度（バイパス抵抗温度）が１００℃以上の場合には（ＳＴＥＰ１２／図４ＡでＹＥＳ）、温度高１をセットすると共に、温度高２をリセットし（ＳＴＥＰ４１／図４Ａ）、最小バイパスＯＦＦ時間を温度高１に対応した第１時間（例えば６０［ｓｅｃ］）に変更する（ＳＴＥＰ９０／図４Ｂ）。
【００６２】
一方、切換制御装置１０は、ＳＴＥＰ１２で回路温度（バイパス抵抗温度）が１００℃以上でなく（ＳＴＥＰ１２／図４ＡでＮＯ）、温度高１もセットされていない場合に（ＳＴＥＰ１３／図４ＡでＮＯ）、回路温度（バイパス抵抗温度）が８０℃以上か否か判定する（ＳＴＥＰ１４／図４Ａ）。
【００６３】
そして、切換制御装置１０は、回路温度（バイパス抵抗温度）が８０℃以上の場合には（ＳＴＥＰ１４／図４ＡでＹＥＳ）、温度高２をセットし（ＳＴＥＰ５４／図４Ａ）、最小バイパスＯＦＦ時間を第２時間（例えば３０［ｓｅｃ］）に変更する（ＳＴＥＰ８１／図４Ｂ）。
【００６４】
一方、切換制御装置１０は、回路温度（バイパス抵抗温度）が８０℃以上でない場合には（ＳＴＥＰ１４／図４ＡでＮＯ）、温度高２がセットされているか判定し（ＳＴＥＰ１５／図４Ａ）、温度高２がセットされていない場合には（ＳＴＥＰ１５／図４ＡでＮＯ）、ＳＴＥＰ７０以下の通常のタップ切換処理を行う。
【００６５】
次に、図４Ａおよび図４Ｂにおいて温度高１および温度高２がセットされている場合の処理について説明する。
【００６６】
まず、切換制御装置１０は、温度高１または温度高２がセットされている場合は（ＳＴＥＰ１３でＹＥＳまたはＳＴＥＰ１５でＹＥＳ／図４Ａ参照）、温度高１および温度高２のいずれがセットされている場合に時間管理を行う温度高復帰タイマをカウントアップし（ＳＴＥＰ５０／図４Ａ）、カウントアップした温度高復帰タイマが高温復帰時間（６０［ｓｅｃ］）を経過したか判定する（ＳＴＥＰ５１／図４Ａ）。
【００６７】
そして、切換制御装置１０は、高温復帰時間（６０［ｓｅｃ］）を経過している場合には（ＳＴＥＰ５１／図４ＡでＹＥＳ）、温度高１および温度高２をリセットすると共に温度高復帰タイマもリセットし（ＳＴＥＰ５３／図４Ｂ）、最小バイパスＯＦＦ時間をデフォルト値に変更し（ＳＴＥＰ７０／図４Ｂ）、以下ＳＴＥＰ９１以降の通常の処理を実行する。
【００６８】
一方、切換制御装置１０は、高温復帰時間（６０［ｓｅｃ］）を経過していない場合には（ＳＴＥＰ５１／図４ＡでＮＯ）、改めて温度高２がセットされているか判定し（ＳＴＥＰ８０／図４Ａ）、温度高２がセットされている場合には（ＳＴＥＰ８０／図４ＡでＹＥＳ）、最小バイパスＯＦＦ時間を温度高２に対応した第２時間（３０［ｓｅｃ］）に維持する（ＳＴＥＰ８１／図４Ｂ）。これにより、バイパスＯＦＦタイマが第２時間（３０［ｓｅｃ］）時間を経過した場合にはタップ切換え動作が可能となる（ＳＴＥＰ９１〜／図４Ｂ）。
【００６９】
また、切換制御装置１０は、温度高２がセットされていない場合には（ＳＴＥＰ８０／図４ＡでＮＯ）、最小バイパスＯＦＦ時間を温度高１に対応した第１時間（６０［ｓｅｃ］）に維持する（ＳＴＥＰ９０／図４Ｂ）。これにより、バイパスＯＦＦタイマが第１時間（６０［ｓｅｃ］）時間を経過した場合にはタップ切換え動作が可能となる（ＳＴＥＰ９１〜／図４Ｂ）。
【００７０】
以上が、切換制御装置１０による電圧調整装置１００の切換制御方法の変更例の詳細である。
【００７１】
これにより、回路温度（バイパス抵抗温度）によりタップの切換えの間隔である切換間隔を段階的に制限することで、回路温度が１２０℃以上となりタップの切換えが突然停止したり、切換間隔が過度に長くなるといった過度の制限を受けることなく、回路温度（バイパス抵抗温度）に応じて切換間隔を段階的に制限することで、電圧調整装置１００に求められる電圧調整機能を最大限に維持しつつ、温度上昇を確実に抑制することができる。
【００７２】
また、この場合にも、温度高復帰タイマ（ＳＴＥＰ５０／図４ＡおよびＳＴＥＰ５３／図４Ｂ参照）と、バイパスＯＦＦタイマ（ＳＴＥＰ９４，ＳＴＥＰ１００／図３Ｂ参照）とを併存させ、温度高１が解除されるまでの時間を高温復帰時間（６０［ｓｅｃ］）に設定することで、温度が８０℃または１００℃付近で前後した場合に、最少バイパスＯＦＦ時間が、第１時間である６０［ｓｅｃ］や第２時間である３０［ｓｅｃ］とデフォルト値（例えば５０［ｍｓｅｃ］）とに頻繁に変更されることがない。
【００７３】
さらに、温度高２がセットされた場合にも（ＳＴＥＰ５４／図４Ａ）、温度高復帰タイマ（ＳＴＥＰ５０／図４ＡおよびＳＴＥＰ５３／図４Ｂ参照）による高温時の時間管理が実行され、温度高２に対応した第２時間（３０［ｓｅｃ］）が経過した後も、温度復帰タイマが高温復帰時間（６０［ｓｅｃ］）となる温度高復帰タイマによる時間管理が継続される（ＳＴＥＰ５１／図４Ａ）。
【００７４】
なお、本実施形態では、高温時の時間管理を行う温度高復帰タイマを高温復帰時間（６０［ｓｅｃ］）に設定しているが、これに限定されるものではない。
【符号の説明】
【００７５】
１０…切換制御装置、１１…制御信号生成部、１２…温度入力部、１３…切換間隔調整部、１４…時間管理部、１００…電圧調整装置。
【図１】
2017143636.tif 000003
【図２】
2017143636.tif 000004
【図３Ａ】
2017143636.tif 000005
【図３Ｂ】
2017143636.tif 000006
【図４Ａ】
2017143636.tif 000007
【図４Ｂ】
2017143636.tif 000008